(57)【要約】【課題】本発明は、振動しながら回転しているベルトコンベヤの復行程のベルトの輸送面と常にぴったりと接触し、旦つ、その掻き取り作用部が隙間なく連続して前記輸送面を横断するベルトクリーナーを提供する。【解決手段】本発明のベルトクリーナーは、無端ベルトの復行程のベルト５１の下方でベルト５１を横断するように設けられる支持棒４１を有する支持枠４０と、それぞれの上端縁４２０が復行程のベルト５１の外側面５２と密接するように支持棒４１に所定間隔をあけて支持されている複数の直立の掻き板４２とからなり、複数の掻き板４２は、いずれもカーブ状をなし、その上端縁４２０がベルト５１の外側面５２と前記上端縁４２０との間の摩擦力で押されて反発力をもって変形し、互いに隣接する掻き板４２の上端縁４２０と隙間なく連続してベルト５１の外側面５２と横断接触するように可撓性をもって構成されている。【選択図】  図５
2004299802.tif 000002
【特許請求の範囲】
【請求項１】
ベルトコンベヤの上側の往行程と下側の復行程とからなる循環運動をする無端ベルトの輸送面としての外側面に付着した付着物を除去するために前記ベルトの復行程の下方に配置されるベルトクリーナーであって、
前記復行程のベルトの下方で該ベルトを横断するように設けられる支持棒を有する支持枠と、
それぞれの上端縁が前記復行程のベルトの外側面と密接するように前記支持棒に所定間隔をあけて支持されている複数の直立の掻き板とからなり、
前記複数の掻き板は、いずれもカーブ状をなし、その上端縁が前記復行程のベルトの外側面と前記上端縁との間の摩擦力で押されて反発力をもって変形し、互いに隣接する掻き板の上端縁と隙間なく連続して前記復行程のベルトの外側面と横断接触するように可撓性をもって構成されてなることを特徴とするベルトクリーナー。
【請求項２】
前記支持棒に複数の中空状固定ブロックが外嵌されており、前記複数の掻き板は、前記固定ブロックにそれぞれ固定されている固定端縁と、前記支持棒から離れている自由端縁とを有することを特徴とする請求項１に記載のベルトクリーナー。
【請求項３】
前記支持棒に複数の中空状固定ブロックが外嵌されており、前記複数の掻き板は、それぞれＳ字型のカーブ状をなし、それぞれのほぼ中央部が前記固定ブロックに外嵌されていることを特徴とする請求項１に記載のベルトクリーナー。
【請求項４】
前記中空状固定ブロックの横断面は菱形であることを特徴とする請求項２または３に記載のベルトクリーナー。
【請求項５】
前記複数の掻き板は、それらの前記自由端縁と前記固定端縁とを結ぶ線または面が前記ベルトの進行方向と９０度未満の角度をなすように構成されてなることを特徴とする請求項２に記載のベルトクリーナー。
【請求項６】
シーソー機構が更に備えられており、そのシーソー運動を構成するレバーの一端が前記支持枠を支持していて他端が増しおもりを吊り下げていることを特徴とする請求項１、２または３に記載のベルトクリーナー。
【請求項７】
前記シーソー機構は、ベルトの進行方向の両側にそれぞれ立設される２つの台座と、―端部が前記支持枠の下方にあるように前記台座にそれぞれ枢支されている２つのレバーと、前記台座により前記レバーの前記一端部と前記支持枠との間にほぼ直立するようにそれぞれ支持固定されている２つのスリーブと、前記スリーブに摺動可能に挿通し、このスリーブの両端部から露出している両端のうちの上端が前記支持枠の下部に螺着されている作動棒と、前記ベルトの最大振動周波数に応じた重量を持ち、前記レバーの他端部に吊り下げられて前記レバーの前記一端部を前記作動棒の下端に押圧させている増しおもりとからなることを特徴とする請求項６に記載のベルトクリーナー。
【請求項８】
前記それぞれの掻き板の上端縁から前記固定ブロックの上端縁までの距離を前記作動棒の許容される上下摺動の最大距離としたことを特徴とする請求項７に記載のベルトクリーナー。
【請求項９】
前記掻き板はゴムから構成されてなることを特徴とする請求項１、２または３に記載のベルトクリーナー。
【発明の詳細な説明】
【０００１】
【発明の属する技術分野】
本発明はベルトクリーナーに関し、より詳しくはベルトコンベヤのベルトの輸送面に付着した付着物を除去するベルトクリーナーに関する。
【０００２】
【従来の技術】
従来から、材料・品物を搬送するために、上側の往行程と下側の復行程とからなる循環運動をする無端ベルトを循環させて、前記往行程の輸送面としての上面（即ち外側面）に材料または品物を載せて運搬するベルトコンベヤが知られている。このようなベルトコンベヤで、鉱石やセメントなどのようなそれ自体またはそれに粒状や粉末状のものが付いたり含まれたりしている物資を搬送する場合、前記粒状や粉末状のものが前記ベルトの輸送面に付着して輸送面の具合が悪くなったり、あるいは、ベルト全体の構造を破壊する問題がある。従って、このような付着物を除去するために、図１に示すようなベルトクリーナー２がよく使われている。図示するように、このベルトクリーナー２は、ベルトコンベヤ１の上側の往行程と下側の復行程とからなる循環運動をする無端ベルト１０の輸送面としての外側面１１に付着した付着物を除去するために、前記復行程のベルト１０の下方に配置されている。このベルトクリーナー２は、前記復行程のベルト１０を横断してその外側面１１と密接しているスクレーパ２３で前記ベルト１０の外側面１１に付着した付着物を掻き取っている。
【０００３】
しかしながら、このようなベルトクリーナー２では、循環運動中のベルト１０が常に振動しているため、前記スクレーパ２３と前記ベルト１０の輸送面（外側面１１）との密接は均一でないばかりでなく、互いに隙間をあけて離れる場合もしばしばあるので、輸送面の付着物を完全に掻き取ることができないという欠点がある。また、前記スクレーパ２３が連続して前記ベルト１０と密接し、且つ、いつも前記付着物の付着力と対抗するので、摩耗がかなり速く、一旦どこかに摩耗が特に激しい部分が生じたらスクレーパ全体を取り替えなければならないという欠点もある。
【０００４】
また、図２に示すような従来のベルトクリーナー３も使用されている。このベルトクリーナー３は、ベース３１と、その軸の周りに複数の毛３３が植え付けてあって、前記ベース３１から横へ延在して復行程のベルトの下方を横断して回転可能に設けられているブラシ３２とからなる。このベルトクリーナー３では、通電によって前記ブラシ３２を回転させ、前記複数の毛３３で前記ベルト１０の輸送面（外側面１１）を掃いて付着物を払うことができる。
【０００５】
このようなベルトクリーナー３では、柔軟な毛３３を有するブラシ３２でベルト１０の輸送面を掃くのでその輸送面といつも接触しており、しかも、前記スクレーパ２３を使用したベルトクリーナー２のようにスクレーパ２３とベルトの輸送面とが互いに隙間をあけて離れることはないものの、通電によって前記ブラシ３２が回転されるので経済性の面から好ましくなく、また、前記ブラシ３２の回転によって除去された付着物が空中に漂って空気汚染の原因となり、もし付着物を回収する必要がある場合には回収効率も悪くなる等の欠点がある。さらに、前記複数の毛３３の間に隙間が必ずあるので、前記ベルト１０の輸送面（外側面１１）に付着した付着物を確実に除去することができないうえ、湿度が高くまたは粘着性がある粉末状の付着物を除去する場合、前記付着物が前記複数の毛３３にぴったりと付着して固まり、ブラシ３２の性能が悪くなるという欠点もある。
【０００６】
【発明が解決しようとする課題】
そこで、本発明は、上記欠点に鑑みてなされたもので、振動しながら回転しているベルトコンベヤの復行程のベルトの輸送面と常にぴったりと接触し、且つ、その掻き取り作用部が隙間なく連続して前記輸送面を横断するベルトクリーナーを提供することを目的とする。
【０００７】
また、本発明は、その付着物を掻き取るための道具が複数の部材からなり、いずれかが傷ついたら、それだけを取り替えることができるベルトクリーナーを提供することを目的とする。
【０００８】
【課題を解決するための手段】
上記目的を達成するために、本発明は、ベルトコンベヤの上側の往行程と下側の復行程とからなる循環運動をする無端ベルトの輸送面としての外側面に付着した付着物を除去するために前記ベルトの復行程の下方に配置されるベルトクリーナーであって、前記復行程のベルトの下方で該ベルトを横断するように設けられる支持棒を有する支持枠と、それぞれの上端縁が前記復行程のベルトの外側面と密接するように前記支持棒に所定間隔をあけて支持されている複数の直立の掻き板とからなり、前記複数の掻き板は、いずれもカーブ状をなし、その上端縁が前記復行程のベルトの外側面と前記上端縁との間の摩擦力で押されて反発力をもって変形し、互いに隣接する掻き板の上端縁と隙間なく連続して前記復行程のベルトの外側面と横断接触するように可撓性をもって構成されてなることを特徴とすするものである。
【０００９】
このように構成されている本発明のベルトクリーナーでは、前記複数の掻き板はいずれもカーブ状であり、且つ、その可撓性により、その上端縁が前記復行程のベルトの外側面と前記上端縁との間の摩擦力で押されるとともに前記復行程のベルトの外側面上に付着した付着物に押されることで、互いに隣接する掻き板の上端縁と隙間なく連続して前記復行程のベルトの外側面と横断接触しつつ変形しては回復することを繰り返すことになるので、前記ベルトの外側面上に付着した付着物を漏らさず完全に掻き取ることができるのみならず、前記掻き板が変形した状態から回復するときに前記ベルトの外側面上に付着した付着物を掻き取りながらその振動（変形・回復運動）によって掻き板に付着した付着物を振るい落とすことができる。
【００１０】
【発明の実施の形態】
以下、図面を参照しながら本発明に係るベルトクリーナーの実施の形態について説明する。先ず、図３に示すように、第１の実施形態におけるベルトクリーナー４は、ベルトコンベヤ５の上側の往行程と下側の復行程とからなる循環運動をする無端ベルト５１の輸送面としての外側面５２に付着した付着物を除去するために前記ベルト５１の復行程の下方に配置されている。
【００１１】
図３を図４と合わせてみると、このベルトクリーナー４は、前記復行程のベルト５ｌの下方で該ベルト５１を横断するように設けられている支持棒４１を有する支持枠４０と、それぞれの上端縁４２０が前記復行程のベルトの輸送面５２と密接するように前記支持棒４１に所定間隔をあけて支持されている複数の直立の掻き板４２とからなっている。
【００１２】
前記支持捧４１には、複数の中空状固定ブロック４３が外嵌されている。前記中空状固定ブロック４３の横断面は菱形である。また、前記複数の掻き板４２は、前記固定ブロック４３に固定されている固定端縁４２１と、前記支持棒４１から離れている自由端縁４２２とをそれぞれ有する。前記複数の掻き板４２は、いずれも、その上端縁４２０が前記復行程のベルトの外側面５２に密接すると、前記外側面５２上に付着した付着物に押されて反発力をもって変形することで、互いに隣接する掻き板４２の上端縁４２０と隙間なく連続して前記復行程のベルト５１の外側面５２と横断接触する可撓性を有する強力ゴム材製カーブ状体をなしている。そして、前記複数の掻き板４２は、それらの前記自由端縁４２２と前記固定端縁４２１とを結んだ線または面が前記ベルト５１の進行方向（図５の矢印方向）と９０度未満の角度θをなすように構成されている。
【００１３】
このように、前記復行程のベルト５１が前記複数の掻き板４２の上端縁４２０と密接する際、前記複数の掻き板４２は、その上端縁４２０が前記密接による摩擦力で押されるとともに前記復行程のベルト５１の外側面５２上に付着した付着物で押されることで、互いに隣接する掻き板４２の上端縁４２０と隙間なく連続して前記復行程のベルト５１の外側面５２と横断接触しつつ変形しては回復することを繰り返すことになるので、前記ベルト５１の外側面５２上に付着した付着物、特に、湿度が高くまたは粘着性がある付着物を漏らさず完全に掻き取ることができる。また、前記複数の掻き板４２が変形した状態から回復するときに前記ベルト５１の外側面５２上に付着した付着物を掻き取りながらその振動（即ち変形・回復運動）によって掻き板４２に付着した付着物を振るい落とすことができる。
なお、前記固定ブロック４３の横断面は菱形であるので、振るい落とされた付着物が前記固定ブロック４３にしばらく付着してもそれ自体の重力で前記固定ブロックから落下することになる。
【００１４】
次に、図６及び図７に示すのは本発明に係る第２の実施形態である。図示するように、本実施形態において前記第１の実施形態と異なる点は、複数の掻き板６２はいずれもＳ字型のカーブ状をなし、旦つ、それぞれのほぼ中央部が固定ブロック６３に外嵌されていること、及び、シーソー機構４４が更に備えられていることである。本実施形態において、前記第１の実施形態と同一部分は、同一符号を付してその説明を省略する。
【００１５】
図８に示すように、前記複数の掻き板６２は、Ｓ字型のカーブ状をなしているので、その上端縁６２０が支持枠６１の両側で、互いに隣接する掻き板６２の上端縁６２０と隙間なく連続して前記復行程のベルト５１の外側面５２と横断接触することになり、これにより前記第ｌの実施形態における片側の掻き取り作用よりも付着物を掻き取る作用を更に向上することができる。
【００１６】
また、図６に示すように、前記シーソー機構４４は、ベルト５１の進行方向の両側にそれぞれ立設されている２つの台座４４１と、―端部４４２ａが前記支持枠６１の下方にあるように前記台座４４１にそれぞれ回動可能に支持されている２つのレバー４４２と、前記台座４４１により前記レバー４４２の前記一端部４４２ａと前記支持枠６ｌとの間にほぼ直立するようにそれぞれ支持固定されている２つのスリーブ４４３と、前記２つのスリーブ４４３に摺動可能に挿通し、そのスリーブ４４３の両端部から露出している両端のうちの上端４４４ａが前記支持枠６１の下部に螺着されている作動棒４４４と、前記ベルト５１の最大振動周波数に応じた重量を持ち、前記レバー４４２の他端部４４２ｂに吊り下げられて前記レバー４４２の前記一端部４４２ａを前記作動棒４４４の下端４４４ｂに押圧させている増しおもり４４５とからなっている。このように構成されるシーソー機構４４では、図９に示すように、シーソー機構４４のシーソー運動によって、前記掻き板６２は常に前記ベルト５１の外側面５２と密接している。即ち、前記ベルト５１が振動して前記掻き板６２を下方に移動させても、前記増しおもり４４５の重力で前記レバー４４２を常に前記作動棒４４４に押圧させて前記作動捧４４４を上方に移動させることにより、前記支持枠６１および前記掻き板６２もまた前記作動棒４４４の移動に従って前記ベルト５１の外側面５２と密接するまで上方に移動することができる。
【００１７】
なお、本実施形態において、前記それぞれの掻き板６２の上端縁６２０から前記固定ブロック６３の上端縁までの距離ｒ１が前記作動棒４４４の許容される上下摺動の最大距離ｒ２とされている。従って、前記作動棒４４４の下端４４４ｂが前記レバー４４２に押圧されても前記いずれかの掻き板６２の上端縁６２０が前記ベルト５１の外側面５２と密接しないとき、掻き板６２が既に摩耗していて作業できない状態になっていることを表す。この場合、前記複数の掻き板６２を前記支持枠６１とともに１８０度に回転すれば、それらの反対端縁で掻き取り作業を続けることができる。必要があれば、前記支持枠６１を取り外し、既に摩耗して作業できない掻き板６２をそれと対応している固定ブロック６３と共に取り替えることもできる。
【００１８】
本実施形態において、前記複数の掻き板６２は、Ｓ字型のカーブ状をなしているので、付着物を完全に掻き取る作用を一層向上することができる。また、前記シーソー機構４４のシーソー運動によって、前記複数の掻き板６２は常に前記ベルト５１の外側面５２と密接することができるので、前記ベルト５１の振動による掻き取り作用の悪影響を回避することができる。
【００１９】
【発明の効果】
以上に説明したように、本発明のベルトクリーナーによれば、複数の掻き板はいずれもカーブ状であり、且つ、その可撓性により、その上端縁が復行程のベルトの外側面と前記上端縁との摩擦力で押されて反発力をもって変形し、互いに隣接する掻き板の上端縁と隙間なく連続して前記復行程のベルトの外側面と横断接触することができるので、前記ベルトの外側面上に付着した付着物を漏らさず完全に掻き取ることができるのみならず、前記複数の掻き板の変形状態からの回復力により、前記ベルトの外側面上に付着した付着物を掻き取りながらその振動によって掻き板に付着した付着物を振るい落とすことができる。
【図面の簡単な説明】
【図１】従来のベルトクリーナーを示す側面図。
【図２】従来の他のベルトクリーナーを示す側面図。
【図３】本発明の第１の実施形態におけるベルトクリーナーがベルトコンベヤに配置されている状態を示す斜視図。
【図４】前記第１の実施形態におけるベルトクリーナーを示す斜視図。
【図５】前記第１の実施形態における複数の掻き板がベルトの外側面と密接している状態を示す下面図。
【図６】本発明の第２の実施形態におけるベルトクリーナーがベルトコンベヤに配置されている状態を示す斜視図。
【図７】前記第２の実施形態におけるベルトクリーナーを示す部分斜視図。
【図８】前記第２の実施形態における複数の掻き板がベルトの外側面と密接している状態を示す下面図。
【図９】前記第２の実施形態におけるシーソー機構を示す側面図。
【符号の説明】
１…ベルトコンベヤ                ４２２…自由端縁
１０…ベルト                      ４３，６３…固定ブロック
１１…外側面                      ４４…シーソー機構
２…ベルトクリーナー              ４４１…台座
２３…スクレーパ                  ４４２…レバー
３…ベルトクリーナー              ４４２ａ…一端部
３１…ベース                      ４４２ｂ…他端部
３２…ブラシ                      ４４３…スリーブ
３３…毛                          ４４４…作動棒
４…ベルトクリーナー              ４４４ａ…上端
４０，６１…支持枠                ４４４ｂ…下端
４１…支持棒                      ４４５…増しおもり
４２，６２…掻き板                ５…ベルトコンベヤ
４２０，６２０…上端縁            ５１…ベルト
４２１…固定端縁                  ５２…外側面
【図１】
2004299802.tif 000003
【図２】
2004299802.tif 000004
【図３】
2004299802.tif 000005
【図４】
2004299802.tif 000006
【図５】
2004299802.tif 000007
【図６】
2004299802.tif 000008
【図７】
2004299802.tif 000009
【図８】
2004299802.tif 000010
【図９】
2004299802.tif 000011